(57)【特許請求の範囲】
【請求項１】
移動操作を検出する操作検出部と、
前記操作検出部により検出される前記移動操作に基づいて複数の選択肢から一の選択肢を選択する選択動作を制御する選択動作制御部と、を有する携帯電子機器であって、
前記操作検出部は、前記移動操作を検出する複数の検出領域を有して構成され、
前記選択動作制御部は、所定の方向に係る前記移動操作が前記複数の検出領域で同時に検出された場合には前記複数の選択肢のうち予め定められた特定の選択肢を選択し、前記操作検出部により前記所定の方向と同一の方向に係る前記移動操作が前記複数の検出領域のうちのいずれか一の検出領域で検出された場合には前記複数の選択肢の中から一の選択肢を順次選択する、ことを特徴とする携帯電子機器。
【請求項２】
前記特定の選択肢は、前記複数の選択肢の冒頭又は末尾の選択肢である、ことを特徴とする請求項１に記載の携帯電子機器。
【請求項３】
移動操作を検出する操作検出部と、
前記操作検出部により検出される前記移動操作に基づいて複数の選択肢から一の選択肢を選択する選択動作を制御する選択動作制御部と、を有する携帯電子機器であって、
前記操作検出部は、前記移動操作を検出する複数の検出領域を有して構成され、
前記選択動作制御部は、所定の方向に係る前記移動操作が前記複数の検出領域で同時に検出された場合には前記複数の選択肢から一の選択肢を前記移動操作に関係なく順次選択し、前記操作検出部により前記所定の方向と同一の方向に係る前記移動操作が前記複数の検出領域のうちのいずれか一の検出領域で検出された場合には前記複数の選択肢から一の選択肢を前記操作検出部により検出される前記移動操作に応じて順次選択する、ことを特徴とする携帯電子機器。
【請求項４】
前記選択された１の選択肢を少なくとも表示可能な表示部を有する、ことを特徴とする請求項１乃至請求項３のいずれか一項に記載の携帯電子機器。
【請求項５】
前記操作検出部は、環状に形成されており、
前記表示部は、前記環状に形成された前記操作検出部の中央領域に設けられている、ことを特徴とする請求項４に記載の携帯電子機器。
【請求項６】
前記表示部は、前記複数の選択肢を表示すると共に、表示されている前記複数の選択肢のうち前記選択動作制御部により選択された１の選択肢を強調表示する、ことを特徴とする請求項４又は請求項５に記載の携帯電子機器。
【請求項７】
前記複数の選択肢のうち前記選択動作制御部により選択された１の選択肢を確定するための確定手段が設けられていることを特徴とする請求項１乃至請求項６のいずれか一項に記載の携帯電子機器。
【発明の詳細な説明】
【技術分野】
【０００１】
本発明は、携帯電子機器に関し、より詳細には、移動を伴う操作を検出する操作検出部を有する携帯電子機器に関する。
【背景技術】
【０００２】
従来、携帯電子機器の操作検出部として様々なインターフェースや構成が開発されてきた。例えば、携帯電子機器に回転ダイヤル式入力デバイスを設け、表示部上に表示させたカーソルを回転ダイヤル式入力デバイスの回転量に応じて移動させる技術がある（特許文献１参照）。
【０００３】
また、物理的・機械的な回転を伴わない操作検出部として、例えばタッチセンサを利用する技術が提案されている（特許文献２、３参照）。この提案技術は、複数のタッチセンサ素子を連続的に配設すると共に、個々のタッチセンサ素子からの接触検出に基づいて移動を伴う操作を検出し、その検出結果に応じて、複数の選択肢から一の選択肢を選択しようとするものである。
【特許文献１】特開２００３−２８０７９２号公報
【特許文献２】特開２００５−５２２７９７号公報
【特許文献３】特開２００４−３１１１９６号公報
【発明の開示】
【発明が解決しようとする課題】
【０００４】
しかしながら、従来の提案技術は、単一の移動を伴う操作の検出に基づいてのみ複数の選択肢から一の選択肢を選択しようとするものであったため、所望の一の選択肢を選択するには、単一の移動を伴う操作を繰り返すほかなく、操作性の幅が狭いという課題があった。
【０００５】
本発明は、このような問題点に鑑みてなされたものであり、本発明の目的は、操作性の幅を広げることのできる携帯電子機器を提供することにある。
【課題を解決するための手段】
【０００６】
本発明の携帯電子機器は、移動操作を検出する操作検出部と、前記操作検出部により検出される前記移動操作に基づいて複数の選択肢から一の選択肢を選択する選択動作を制御する選択動作制御部と、を有する携帯電子機器であって、前記操作検出部は、前記移動操作を検出する複数の検出領域を有して構成され、前記選択動作制御部は、所定の方向に係る前記移動操作が前記複数の検出領域で同時に検出された場合には前記複数の選択肢のうち予め定められた特定の選択肢を選択し、前記操作検出部により前記所定の方向と同一の方向に係る前記移動操作が前記複数の検出領域のうちのいずれか一の検出領域で検出された場合には前記複数の選択肢の中から一の選択肢を順次選択する、ことを特徴とする。
【発明の効果】
【００１５】
本発明は、複数の領域を有して構成される前記操作検出部により、移動を伴う操作が当該複数の検出領域で同時に検出された場合と当該複数の領域のうちのいずれか一の検出領域で検出された場合とで選択動作を異ならせることにより操作性の幅を広げることができる。
【発明を実施するための最良の形態】
【００１６】
本発明の実施の形態について図面を参照して説明する。以下、携帯電子機器の典型例として携帯電話端末に本発明を適用して説明する。図１は、本発明を適用した携帯電話端末の基本的な構成を示すブロック図である。図１に示す携帯電話端末１００は、制御部（選択動作制御部）１１０、センサ部（操作検出部）１２０、表示部１３０、記憶部（フラッシュメモリなど）１４０、情報処理機能部１５０、電話機能部１６０、キー操作部ＫＥＹおよびスピーカＳＰ、さらに、図示しないＣＤＭＡ通信網に接続して通信を行う通信部ＣＯＭにより構成されている。さらに、センサ部１２０は、複数のセンサ素子（例えば、その検知部を機器筐体の外面に設けてあり、指などの物体の接触・近接を検出する接触センサ）を含んだセンサ素子群を、用途に応じてｎ個、即ち、第１のセンサ素子群Ｇ１、第２のセンサ素子群Ｇ２および第ｎのセンサ素子群Ｇ３を含み、記憶部１４０は、保存領域１４２、外部データ保存領域１４４から構成されている。制御部１１０および情報処理機能部１５０は、ＣＰＵなどの演算手段およびソフトウェアモジュールなどから構成されることが好ましい。なお、後述するシリアルインターフェース部ＳＩ、シリアルインターフェース部ＳＩを介して制御部１１０に接続されるＲＦＩＤモジュールＲＦＩＤや赤外線通信部ＩＲ、さらにはカメラ２２０やライト２３０の他、マイクＭＩＣ、ラジオモジュールＲＭ、電源ＰＳ、電源コントローラＰＳＣＯＮ等が制御部１１０に接続されるが、ここでは簡略化のため省略する。
【００１７】
図１のブロック図における各ブロックの機能を簡単に説明する。制御部１１０は、センサ部１２０によりユーザの指などによる物体の接触を検出し、記憶部１４０の保存領域１４２に検出した情報を格納し、情報処理機能部１５０により格納した情報の処理を制御する。そして、処理結果に応じた情報を表示部１３０に表示させる。さらに制御部１１０は、通常の通話機能のための電話機能部１６０、キー操作部ＫＥＹおよびスピーカＳＰを制御する。なお、表示部１３０は、サブ表示部ＥＬＤ（表示部）および図示しないメイン表示部（携帯電話端末１００が閉状態にて隠れ、開状態にて露出する位置に設けられる表示部）を含んで構成される。
【００１８】
図２は、センサ素子を筐体に実装した携帯電話端末の斜視図である。携帯電話端末１００は、図２に示すような閉状態のほか、ヒンジ部を回動、スライドさせて開状態を形成することも可能であって、タッチセンサ部２１０は、閉状態においても操作可能な位置に設けられている。図２（ａ）は携帯電話端末１００の外観を示す斜視図である。携帯電話端末１００は、タッチセンサ部２１０（外観上、センサ部１２０、すなわちセンサ素子群Ｇ１、Ｇ２を覆うパネルＰＮＬが見えている（図６にて後述））、カメラ２２０、およびライト２３０を備える。図２（ｂ）は、タッチセンサの動作の説明のために、パネルＰＮＬを省略し、センサ素子とサブ表示部ＥＬＤ周辺のみの配置を表示した携帯電話端末１００の斜視図である。図のように、センサ素子Ｌ１〜Ｌ４およびＲ１〜Ｒ４が、サブ表示部ＥＬＤの周囲に沿って環状に左右に並べて配置されている。なお、後述するように、センサ素子Ｌ１〜Ｌ４およびＲ１〜Ｒ４を環状に上下に並べて配置するようにしても良い。センサ素子Ｌ１〜Ｌ４は第１のセンサ素子群（検出領域の１つ）Ｇ１を構成し、センサ素子Ｒ１〜Ｒ４は第２のセンサ素子群（検出領域の１つ）Ｇ２を構成している。第１のセンサ素子群Ｇ１と第２のセンサ素子群Ｇ２は、離間部ＳＰ１、ＳＰ２を隔てて区分けされる。第１のセンサ素子群Ｇ１のレイアウトに対して、第２のセンサ素子群Ｇ２は、サブ表示部ＥＬＤを挟み、選択候補項目の並べられている方向を中心線とする線対称なレイアウトを持つ。このように、センサ素子を２つ素子群に分けることにより、複雑になりすぎず、感覚的に理解のしやすい操作環境を提供することができる。また、本構成ではサブ表示部ＥＬＤに有機ＥＬディスプレイを用いたが、例えば液晶表示ディスプレイ等を用いることもできる。また、本構成ではセンサ素子として静電容量式の接触センサを用いたが、薄膜抵抗式の接触センサを用いることもできる。また、メカニカルスイッチを並べて配置するようにしても良い。
【００１９】
図２の携帯電話端末１００において、サブ表示部ＥＬＤは、携帯電話端末１００の用途に応じた情報を表示する。例えば、携帯電話端末１００を音楽プレーヤーとして用いる場合、サブ表示部ＥＬＤには再生可能な曲目情報に係る「選択候補項目（選択肢）」が複数表示される。この選択候補項目は、曲名およびアーティスト名の組で１つの項目を構成している。ユーザは、操作検出部としてのタッチセンサ部２１０に対して移動を伴う操作を行ってセンサ素子Ｌ１〜Ｌ４、Ｒ１〜Ｒ４の静電容量を変化させることにより、制御部１１０が選択動作制御を行い、一の項目たる曲目を選択する。そしてサブ表示部ＥＬＤは、この選択された項目が強調して表示する。
【００２０】
特にこのときタッチセンサ部２１０は、図２のように、サブ表示部ＥＬＤの周囲にセンサ素子が並べられる構成とすれば、小型な携帯電子機器の外部筐体における実装部分を大きく占有せずに済み、かつ、ユーザは、サブ表示部ＥＬＤの表示を見ながらセンサ素子を操作することができる。
【００２１】
図３は、本発明を適用した携帯電話端末１００の詳細な機能ブロック図である。図３に示す各種ソフトウエアは、記憶部１４０に記憶されるプログラムに基づいて、同じく記憶部１４０上にワークエリアを設けた上で、制御部１１０が実行することにより動作する。図に示すように、携帯電話端末の諸機能は、ソフトウェアブロックとハードウェアブロックとに分かれる。ソフトウェアブロックは、フラグ記憶部ＦＬＧを持つベースアプリＢＡ、サブ表示部表示アプリＡＰ１、ロックセキュリティアプリＡＰ２、その他アプリＡＰ３、およびラジオアプリＡＰ４から構成される。ソフトウェアブロックは、さらに、赤外線通信アプリＡＰＩＲおよびＲＦＩＤアプリＡＰＲＦも含む。これらの各種アプリ（アプリケーションソフトウェア）がハードウェアブロックの各種ハードウェアを制御するときに、赤外線通信ドライバＩＲＤ、ＲＦＩＤドライバＲＦＤ、オーディオドライバＡＵＤ、ラジオドライバＲＤ、およびプロトコルＰＲをドライバとして使用する。例えば、オーディオドライバＡＵＤ、ラジオドライバＲＤ、およびプロトコルＰＲは、それぞれ、マイクＭＩＣ、スピーカＳＰ、通信部ＣＯＭ、およびラジオモジュールＲＭを制御する。ソフトウェアブロックは、さらに、ハードウェアの操作状態を監視・検出するキースキャンポートドライバＫＳＰも含み、タッチセンサドライバ関連検出、キー検出、折り畳み式やスライド式などの携帯電話端末の開閉を検出する開閉検出、イヤホン着脱検出などを行う。
【００２２】
ハードウェアブロックは、ダイヤルキーや後述するタクトスイッチＳＷ１（確定手段の一つ）、ＳＷ２（確定手段の一つ）を含む各種ボタンなどを含むキー操作部ＫＥＹ、ヒンジ部の動作状況などに基づき開閉を検出する開閉検出デバイスＯＣＤ、機器本体付属のマイクＭＩＣ、着脱可能なイヤホンＥＡＰ、スピーカＳＰ、通信部ＣＯＭ、ラジオモジュールＲＭ、シリアルインターフェース部ＳＩ、および切替制御部ＳＷＣＯＮから構成される。切替制御部ＳＷＣＯＮは、ソフトウェアブロックの該当ブロックからの指示に従って、赤外線通信部ＩＲ、ＲＦＩＤモジュール（無線識別タグ）ＲＦＩＤ、タッチセンサモジュールＴＳＭ（センサ部１２０と、発振回路などのセンサ部１２０を駆動する上で必要な部品一式をモジュール化したもの）のうちのいずれか１つを選択して当該信号をシリアルインターフェース部ＳＩが拾い上げるように選択対象ハードウェア（ＩＲ、ＲＦＩＤ、ＴＳＭ）を切り替える。電源ＰＳは、電源コントローラＰＳＣＯＮを介して選択対象ハードウェア（ＩＲ、ＲＦＩＤ、ＴＳＭ）に電力を供給する。
【００２３】
図４は、本発明による携帯電話端末１００のタッチセンサ機能のより詳細な構成を示すブロック図である。図に示すように、本携帯電話端末１００は、タッチセンサドライバブロックＴＤＢ、タッチセンサベースアプリブロックＴＳＢＡ、デバイス層ＤＬ、割込ハンドラＩＨ、キューＱＵＥ、ＯＳタイマーＣＬＫ、各種アプリＡＰ１〜ＡＰ３を備える。ここでタッチセンサベースアプリブロックＴＳＢＡは、ベースアプリＢＡおよびタッチセンサドライバ上位アプリケーションプログラムインターフェースＡＰＩを備え、タッチセンサドライバブロックＴＤＢは、タッチセンサドライバＴＳＤおよび結果通知部ＮＴＦを備える。また、デバイス層ＤＬは、切替制御部ＳＷＣＯＮ、切替部ＳＷ、シリアルインターフェース部ＳＩ、赤外線通信部ＩＲ、ＲＦＩＤモジュールＲＦＩＤおよびタッチセンサモジュールＴＳＭを備え、割込ハンドラＩＨは、シリアル割込み監視部ＳＩＭＯＮおよび確認部ＣＮＦを備える。
【００２４】
次に、各ブロックの機能を図を参照して説明する。タッチセンサベースアプリブロックＴＳＢＡにおいて、ベースアプリＢＡと、タッチセンサドライバ上位アプリケーションプログラムインターフェースＡＰＩとの間では、タッチセンサを起動するか否かのやり取りが行われる。ベースアプリＢＡは、サブ表示部用のアプリケーションであるサブ表示部表示アプリＡＰ１、セキュリティ保護用に携帯電話端末１００にロックをかけるアプリケーションであるロックセキュリティアプリＡＰ２、その他のアプリケーションＡＰ３のベースとなるアプリケーションであり、ベースアプリＢＡに前記各アプリからタッチセンサの起動が要求された場合に、タッチセンサドライバ上位アプリケーションプログラムインターフェースＡＰＩにタッチセンサの起動を要求する。なお、サブ表示部とは、各図に示すサブ表示部ＥＬＤであって、本実施例における携帯電話端末１００において、環状に配置されたセンサ素子群の中央領域に設けられた表示部のことを指す。
【００２５】
起動の要求を受け、タッチセンサドライバ上位アプリケーションプログラムインターフェースＡＰＩは、ベースアプリＢＡ内のアプリケーションの起動を管理するブロック（図示せず）に、タッチセンサの起動が可能か否かの確認を行う。即ち、アプリケーションの選択が実行されていることを示すサブ表示部ＥＬＤの点灯、またはＦＭラジオその他の携帯電話端末１００に付属するアプリケーション等の、あらかじめタッチセンサの起動が不可能と設定されたアプリケーションの起動を示すフラグの有無を確認する。その結果、タッチセンサの起動が可能と判断された場合、タッチセンサドライバ上位アプリケーションプログラムインターフェースＡＰＩは、タッチセンサドライバＴＳＤにタッチセンサモジュールＴＳＭの起動を要求する。すなわち、実質的には電源コントローラＰＳＣＯＭを介した電源ＰＳからタッチセンサモジュールＴＳＭへの電源供給を開始する。
【００２６】
起動が要求されると、タッチセンサドライバＴＳＤは、デバイス層ＤＬ内のシリアルインターフェース部ＳＩに要求して、シリアルインターフェース部ＳＩにおけるタッチセンサドライバＴＳＤとのポートを開くように制御する。
【００２７】
その後、タッチセンサドライバＴＳＤは、タッチセンサのセンシング結果の情報を有する信号（以下、接触信号と記す）を、タッチセンサモジュールＴＳＭが有する内部クロックによる２０ｍｓの周期で、シリアルインターフェース部ＳＩに出力されるように制御する。
【００２８】
接触信号は、上述した各センサ素子Ｌ１〜Ｌ４およびＲ１〜Ｒ４の８つのセンサ素子それぞれに対応した８ビット信号で出力されている。即ち、各センサ素子が接触を検知したときには、この接触を検知したセンサ素子に対応するビットに、接触検知を表す「フラグ：１」を立てた信号であって、これらのビット列により接触信号が形成される。つまり、接触信号には、「どのセンサ素子」が「接触／非接触のいずれか」を示す情報が含まれる。
【００２９】
る。
【００３０】
割込ハンドラＩＨにおけるシリアル割込み監視部ＳＩＭＯＮは、シリアルインターフェース部ＳＩに出力された接触信号を取り出す。ここで確認部ＣＮＦが、シリアルインターフェース部ＳＩにおいてあらかじめ設定された条件に従い、取り出した接触信号のＴｒｕｅ／Ｆａｌｓｅの確認を行い、Ｔｒｕｅ（真）な信号のデータのみをキューＱＵＥに入れる（信号のＴｒｕｅ／Ｆａｌｓｅの種別については後述する。）。また、シリアル割込み監視部ＳＩＭＯＮは、タクトスイッチの押下の発生などのタッチセンサ起動中のシリアルインターフェース部ＳＩの他の割込み事象の監視も行う。
【００３１】
なお、監視部ＳＩＭＯＮは、検出した接触が最初の接触であった場合には「プレス」を意味する信号を接触信号の前にキューＱＵＥに入れる（キューイングする）。その後、オペレーションシステムの有するＯＳタイマーＣＬＫによるクロック４０ｍｓ周期で接触信号の更新を行い、所定回数接触を検出しなかった場合には「リリース」を意味する信号をキューＱＵＥに入れる。このことにより、接触開始からリリースまでのセンサ素子間での接触検出の移動を監視することができるようになる。なお、「最初の接触」とは、キューＱＵＥにデータのない状態、或いは、直近の入力データが「リリース」である場合に「フラグ：１」を有する信号が発生する事象を指す。これらの処理により、タッチセンサドライバＴＳＤは、「プレス」から「リリース」の区間のセンサ素子の検出状態を知ることができる。
【００３２】
同時に、監視部ＳＩＭＯＮは、タッチセンサから出力される接触信号がＦａｌｓｅとなる条件を満たす信号であった場合に、「リリース」を意味する信号を擬似的に生成してキューＱＵＥに入れる。ここでＦａｌｓｅ（偽）となる条件としては、「非連続な２つのセンサ素子で接触を検出した場合」、「タッチセンサ起動中に割込みが生じた場合（例えば、メール着信等の通知でサブ表示部ＥＬＤの点灯／消灯状態が変更された場合）」、「タッチセンサ起動中にキー押下が発生した場合」、または後述するように「複数のセンサ素子群をまたぐ接触を検出した場合」などが設定される。
【００３３】
また、監視部ＳＩＭＯＮは、例えば、センサ素子Ｒ２とＲ３といった隣接する２つのセンサ素子で同時に接触を検出した場合には、単一の素子を検出した場合と同様に、接触を検出した素子に対応するビットにフラグが立った接触信号をキューＱＵＥに入れる。
【００３４】
タッチセンサドライバＴＳＤは、４５ｍｓ周期でキューＱＵＥから接触信号を読み出し、読み出した接触信号によって、接触を検知した素子を判定する。タッチセンサドライバＴＳＤは、キューＱＵＥから順次に読み出した接触信号により判定した接触の変化、および、検知した素子との位置関係を考慮して、「接触スタートの素子」、「接触の移動方向（右／左回り）の検出」、および「プレスからリリースまでの移動距離」の判定を行う。タッチセンサドライバＴＳＤは、判定された結果を結果通知部ＮＴＦに書き込むとともに、ベースアプリＢＡに結果を更新するように通知する。
【００３５】
接触の移動方向および移動距離の判定は、隣接するセンサ素子の検出および各センサ素子の検出の組合せによって行うが、これには種々の手法（判定ルール）を適用することができる。例えば、ある１つのセンサ素子（例えばＲ２）から隣接するセンサ素子（この例の場合、Ｒ３）へと接触が遷移すると、その方向に、１素子分（サブ表示部における選択候補項目の１項目分）の移動とすると判定する。
【００３６】
前述のように、結果の更新がタッチセンサドライバＴＳＤによってベースアプリＢＡに通知されると、ベースアプリＢＡは結果通知部ＮＴＦを確認し、結果通知部ＮＴＦに通知された情報の内容を、さらに上位のアプリケーションであってタッチセンサ結果を要するアプリケーション（サブ表示部におけるメニュー画面表示のための表示部表示アプリＡＰ１、およびロック制御のためのロックセキュリテイアプリＡＰ２など）に通知する。
【００３７】
図５および図６は、本発明による携帯電話端末１００の特にタッチセンサ部２１０の構成要素の配置を示す平面図である。作図および説明の便宜上、一部の構成要素のみを図示および説明する。図５は、センサ素子が、サブ表示部ＥＬＤの周囲に沿って環状に、かつ、サブ表示部ＥＬＤに表示される表示の向きに対して左右に並べて配置されている場合を示しており、図６は、センサ素子が、サブ表示部ＥＬＤの周囲に沿って環状に、かつ、サブ表示部ＥＬＤに表示される表示の向きに対して上下に並べて配置されている場合を示している。そして、図５および図６に示すように、有機ＥＬ素子からなる表示部ＥＬＤの周囲に沿って円環状のパネルＰＮＬが配されている。パネルＰＮＬは、下部に設けるセンサ素子の感度に影響を与えないように十分に薄くすることが好適である。パネルＰＮＬの下部には、人体の指の接触／近接を検知できる静電容量型の８個のセンサ素子Ｌ１〜Ｌ４、Ｒ１〜Ｒ４をほぼ環状に配置してある。４つのセンサ素子Ｌ１〜Ｌ４で第１のセンサ素子群Ｇ１、４つのセンサ素子Ｒ１〜Ｒ４で第２のセンサ素子群Ｇ２をそれぞれ構成している。各センサ素子群内の隣接するセンサ素子の間には、隣接するセンサ素子同士で接触検出機能に干渉しないように、クリアランス（隙間）を設けて配置してある。なお、干渉しないタイプのセンサ素子を用いる場合にはこのクリアランスは不要である。第１のセンサ素子群Ｇ１の一端に位置するセンサ素子Ｌ４と、第２のセンサ素子群Ｇ２の一端に位置するセンサ素子Ｒ１との間には、前記クリアランスより大きいクリアランス（例えば、２倍以上の長さ）である離間部ＳＰ１を設ける。第１のセンサ素子群Ｇ１の他端に位置するセンサ素子Ｌ１と、第２のセンサ素子群Ｇ２の他端に位置するセンサ素子Ｒ４との間にも、離間部ＳＰ１と同様に離間部ＳＰ２を設ける。このような離間部ＳＰ１、ＳＰ２によって、第１のセンサ素子群Ｇ１と第２のセンサ素子群Ｇ２とが別個に機能させる際に、互いに指が干渉することを防止することができる。また、離間部ＳＰ１、ＳＰ２によって、２つのセンサ素子群の境界が明確になり、操作性が向上する。
【００３８】
第１のセンサ素子群Ｇ１の各センサ素子は円弧状に配置されているが、この円弧の中央、即ち、センサ素子Ｌ２およびＬ３の中間の下部に、タクトスイッチＳＷ１の中心を配置して、第１のセンサ素子群Ｇ１の領域で選択確定動作が行えるようになっている。同様に、第２のセンサ素子群Ｇ２の各センサ素子で形成される円弧の中央、即ち、センサ素子Ｒ２およびＲ３の中間の下部に、タクトスイッチＳＷ２の中心を配置して第２のセンサ素子群Ｇ２の領域で選択確定動作が行えるようになっている（図７参照）。このように、方向性を連想させない位置であるセンサ素子群の配置方向のほぼ中央にタクトスイッチを配置することによって、センサ素子上におけるユーザによる指の方向性を持った移動指示操作による方向指示とは直接関係しない操作を行うスイッチであることを、ユーザは容易に把握することができる。センサ素子群の配置方向の中央ではなく端部（例えばＬ１やＬ４）にタクトスイッチを配置してあると、端部側向きの方向性を連想させるため、タッチセンサによる移動動作を継続するなどのために長押しする「スイッチ」であるという誤解をユーザに与え易い。一方、本発明の構成のように、センサ素子群の配置方向の中央にタクトスイッチを配置してあれば、このような誤解を防止することができ、より快適なユーザインターフェースを提供することが可能である。また、センサ素子の下方にタクトスイッチを配して機器外面に露出していないため、機器の外観上も露出する操作部の点数を削減でき、複雑な操作を要さない様なスマートな印象となる。なお、タクトスイッチをパネルＰＮＬ下部以外の箇所に設ける場合には、機器筐体に別途貫通孔を設ける必要があるが、貫通孔を設ける位置によっては筐体強度の低下が生じ得る。本構成では、パネルＰＮＬ、および、センサ素子の下方にタクトスイッチを配することによって、新たな貫通孔を設ける必要がなくなり、筐体強度の低下も防止できる。
【００３９】
図５では、ユーザが、例えば、指で順次にセンサ素子Ｌ１、Ｌ２、Ｌ３、Ｌ４を円弧状に上方向に向かってなぞると、表示部ＥＬＤに表示されている選択候補項目（この場合は、音、表示、データ、カメラ）のうち選択対象領域（ここでは図示しないが、反転表示や別のカラーでの強調表示など）として表示されている項目が上方向のものに順次変化したり、選択候補項目が上方向にスクロールしたりする。図６では、ユーザが、例えば、指で順次にセンサ素子Ｌ１、Ｌ２、Ｌ３、Ｌ４を円弧状に右方向に向かってなぞると、表示部ＥＬＤに表示されている選択候補項目（この場合は、音、表示、データ、カメラ）のうち選択対象領域（ここでは図示しないが、反転表示や別のカラーでの強調表示など）として表示されている項目が右方向のものに順次変化したり、選択候補項目が右方向にスクロールしたりする。このように、選択候補項目のうちの１つの選択された選択対象領域の変化（選択肢の変更）が視認できるため、操作性が向上する。
【００４０】
また、所望の選択候補項目が選択対象領域として表示されているときに、ユーザは、パネルＰＮＬおよびセンサ素子Ｌ２，Ｌ３越しにタクトスイッチＳＷ１を押下して選択決定をする選択確定動作を行ったり、タクトスイッチＳＷ２を押下して表示自体を別画面に変更したりすることができる。即ち、パネルＰＮＬは、タクトスイッチＳＷ１、ＳＷ２を押下するのに十分な可撓性を持ち、あるいはわずかに傾倒可能に機器筐体に取り付けられ、タクトスイッチＳＷ１、ＳＷ２に対する押し子の役も持っている。
【００４１】
図７は、図２、図５および図６に示した携帯電話端末の構成要素、特にタッチセンサ部２１０の分解斜視図である。図に示すように、端末筐体の外面をなす第１の層には、パネルＰＮＬおよび表示部ＥＬＤが配される。第１の層のパネルＰＮＬの下方に位置する第２の層には、センサ素子Ｌ１〜Ｌ４、Ｒ１〜Ｒ４が配される。第２の層のセンサ素子Ｌ２、Ｌ３の間の下方、および、センサ素子Ｒ２、Ｒ３の間の下方に位置する第３の層には、タクトスイッチＳＷ１、ＳＷ２がそれぞれ配される。
【００４２】
図８は、本発明による携帯電話端末における各センサ素子からの接触検知データの処理を説明する概略ブロック図である。説明の簡易化のため、センサ素子Ｒ１〜Ｒ４についてのみ示してあるが、センサ素子Ｌ１〜Ｌ４についても同様である。センサ素子Ｒ１〜Ｒ４の各々には、高周波が印加されており、一定の浮遊容量の変化を考慮してキャリブレーションし、このときの高周波状態を基準として設定されており、それぞれ、前処理部３００（Ｒ１用前処理部３００ａ、Ｒ２用前処理部３００ｂ、Ｒ３用前処理部３００ｃ、Ｒ４用前処理部３００ｄ）にて、指の接触などによる静電容量の変化に基づく高周波状態の変動を検出すると、Ａ／Ｄ変換器３１０（Ｒ１用Ａ／Ｄ変換器３１０ａ、Ｒ２用Ａ／Ｄ変換器３１０ｂ、Ｒ３用Ａ／Ｄ変換器３１０ｃ、Ｒ４用Ａ／Ｄ変換器３１０ｄ）へと送信され、接触検出を示すデジタル信号に変換される。デジタル化された信号は制御部３２０へと送信されてセンサ素子群としてのまとまった信号の集合として、記憶部３３０に信号の保持する情報を格納する。その後、シリアルインターフェース部、割り込みハンドラにこの信号が送出され、割り込みハンドラにて、タッチセンサドライバが読み取り可能な信号に変換した後、変換後の信号をキューに入れる。なお、制御部３２０は、記憶部３３０に格納した情報に基づき、隣接したセンサ素子の２つ以上で接触を検出した時点で移動を伴う操作および操作の方向の検出を行う。
【００４３】
以下、図９〜図１２において、センサ素子の操作に対する表示部の応答について説明する。図９〜図１２において、（ａ）は携帯電話端末に実装したサブ表示部ＥＬＤと、その周辺に沿って並べて配置したセンサ素子のみを、説明の簡易化のために示した概略図、（ｂ）は時間推移に伴い検知したセンサ素子を示す図、（ｃ）は検知したセンサ素子に応じたサブ表示部ＥＬＤの操作対象領域の位置変化を示す図である。これらの図の（ａ）において、センサ素子、センサ素子群および離間部には図２（ｂ）と同様の符号を付している。また（ｃ）のサブ表示部ＥＬＤの表示において、ＴＩはサブ表示部が表示する項目リストのタイトル、ＬＳ１〜ＬＳ８は選択候補項目（例えば、スクロール可能な幾つかの行）を示す。また（ｃ）のサブ表示部ＥＬＤにおいて、操作の対象となる状態にある項目は、現在の操作対象領域であることが識別できるように、当該項目にカーソルを配置する、或いは、項目自体を反転表示などで強調表示する。これらの図では、操作対象領域として表示されている項目にはハッチングを施して強調して示している。説明の便宜上、「移動対象」を操作対象領域のみで説明するが、項目自体を移動（スクロール）させる場合も同様の原理でサブ表示部ＥＬＤは動作する。
【００４４】
図９および図１０は、センサ素子群が、サブ表示部ＥＬＤの周囲に沿って左右に並べて配置されているときに、センサ素子上をユーザがなぞった場合のサブ表示部の応答を説明する図である。図９（ａ）において矢印ＡＲ１に示す上から下の向き（時計回り方向）に、例えば指などの接触手段を用いて各センサ素子上を連続的になぞると、制御部は、（ｂ）で示す時間推移で接触を検知する。この場合は、センサ素子Ｒ１、Ｒ２、Ｒ３、Ｒ４の順に接触、すなわち移動を伴う操作が検知される。このＲ１からＲ４までの連続した接触は、隣接したセンサ素子の２つ以上で検知しているため、方向の検出を行い、隣接したセンサ素子を遷移した回数とその方向に応じて、選択候補項目が選択され、その選択された選択候補項目が操作対象領域としてサブ表示部ＥＬＤに表示される。この場合は、（ｃ）で示したように、操作対象領域は、初期位置（冒頭）の項目ＬＳ１から項目ＬＳ４まで下方へ項目を３つ分移動する。なお、操作対象領域は、ハッチングで表してあるが、ハッチングピッチの狭いものが初期位置であり、ハッチングピッチの広いものが移動後の位置である。このように、本構成によれば、ユーザの「下方への指の指示動作」と同じように、サブ表示部ＥＬＤの「操作対象領域が下方に移動」するため、ユーザはあたかも自己の指で操作対象領域を自在に移動させているように感じることになる。即ち、ユーザの意図した通りの操作感覚が得られる。
【００４５】
同様に、同図（ａ）において矢印ＡＲ２に示す上から下の向き（反時計回り方向）にセンサ素子がなぞられたとすると、（ｂ）で示したように各センサ素子のうちセンサ素子Ｌ４、Ｌ３、Ｌ２、Ｌ１がこの順に接触を検知し、この場合、矢印ＡＲ１と同じく上から下へ、隣接するセンサ素子を３つ遷移する接触のため、（ｃ）のように下方に向かって項目ＬＳ１から項目ＬＳ４まで操作対象領域が３つ分移動する。
【００４６】
また、制御部（選択動作制御部）１１０は、移動を伴う操作が、区分けされた複数の領域で同時に検出された場合と複数の領域のうちのいずれか一の領域で検出された場合とで選択動作を異ならせる制御も行うことが可能に構成されている。例えば、同図（ａ）において、第１のセンサ素子群Ｇ１で矢印ＡＲ１に示す上から下の向き（時計回り方向）への移動を伴う操作、すなわち、センサ素子Ｒ１、Ｒ２、Ｒ３、Ｒ４の順への接触操作と、第１のセンサ素子群Ｇ２で矢印ＡＲ２に示す上から下の向き（反時計回り方向）への移動を伴う操作、すなわちセンサ素子Ｌ４、Ｌ３、Ｌ２、Ｌ１の順への接触操作が同時に検出された場合には、制御部１１０は、上述同様に操作対象領域を下方に向かって項目ＬＳ１から項目ＬＳ４まで移動させるが、その操作対象領域の移動速度（一の選択肢を変更する度合い）を、いずれか一方の操作のみが検出された場合の操作対象領域の移動速度よりも速くなるよう（一の選択肢を変更する度合いを大きくするよう）制御する。
【００４７】
例えば、第１のセンサ素子群Ｇ１で矢印ＡＲ１に示す上から下の向き（時計回り方向）への移動を伴う操作と、第１のセンサ素子群Ｇ２で矢印ＡＲ２に示す上から下の向き（反時計回り方向）への移動を伴う操作とが同時に検出され、その操作の結果、センサ素子が２つ接触された場合には、接触されたセンサ素子の数の倍の数、すなわち４つ分操作対象を上から下に移動させる一方、第１のセンサ素子群Ｇ１で矢印ＡＲ１に示す上から下の向き（時計回り方向）への移動を伴う操作と、第１のセンサ素子群Ｇ２で矢印ＡＲ２に示す上から下の向き（反時計回り方向）への移動を伴う操作のうちいずれか一方だけ検出され、その操作の結果、センサ素子が同じく２つ接触された場合には、接触されたセンサ素子の数と同じ数、すなわち２つ分操作対象を上から下に移動させる。
【００４８】
こうすることにより、単位時間当たりのセンサ素子の接触数が同数であるときには、移動を伴う操作が区分けされた複数の領域で同時に検出された場合の方が、複数の領域のうちのいずれか一の領域で検出された場合よりも操作対象領域の項目間の移動速度が早くなる。また、移動を伴う操作が区分けされた複数の領域で同時に検出された場合の方が、複数の領域のうちのいずれか一の領域で検出された場合よりも操作対象領域の項目間の移動速度が早くなるということは、移動を伴う操作が区分けされた複数の領域で同時に検出された場合の方が、複数の領域のうちのいずれか一の領域で検出された場合よりも操作対象領域の項目間の移動量が多くなる、とも観念することもできる。
【００４９】
つまり、ユーザは、状況に応じて操作対象領域の選択候補項目間の移動速度や移動量を操作方法に応じて選択することができ、もって携帯電話端末１００の操作性の幅を広げることができる。
【００５０】
図１０（ａ）において矢印ＡＲ１に示す下から上の向き（反時計回り方向）にセンサ素子がなぞられたとすると、（ｂ）で示したように各センサ素子のうちセンサ素子Ｒ４、Ｒ３、Ｒ２、Ｒ１がこの順に接触を検知し、この場合、下から上へ、隣接するセンサ素子を３つ遷移する接触のため、（ｃ）のように上方に向かって項目ＬＳ４から項目ＬＳ１まで操作対象領域が３つ分移動する。
【００５１】
同様に、同図（ａ）において矢印ＡＲ２に示す下から上の向き（時計回り方向）にセンサ素子がなぞられたとすると、（ｂ）で示したように各センサ素子のうちセンサ素子Ｌ１、Ｌ２、Ｌ３、Ｌ４がこの順に接触を検知し、この場合、矢印ＡＲ１と同じく下から上へ、隣接するセンサ素子を３つ遷移する接触のため、（ｃ）のように上方に向かって項目ＬＳ４から項目ＬＳ１まで操作対象領域が３つ分移動する。
【００５２】
また、同図（ａ）において、第１のセンサ素子群Ｇ１で矢印ＡＲ１に示す下から上の向き（反時計回り方向）への移動を伴う操作、すなわち、センサ素子Ｒ４、Ｒ３、Ｒ２、Ｒ１の順への接触操作と、第１のセンサ素子群Ｇ２で矢印ＡＲ２に示す下から上の向き（時計回り方向）への移動を伴う操作、すなわちセンサ素子Ｌ１、Ｌ２、Ｌ３、Ｌ４の順への接触操作が同時に検出された場合には、制御部１１０は、上述同様に操作対象領域を上方に向かって項目ＬＳ４から項目ＬＳ１まで移動させるが、その操作対象領域の移動速度を、いずれか一方の操作が検出された場合の操作対象領域の移動速度よりも速くなるよう制御する。
【００５３】
例えば、第１のセンサ素子群Ｇ１で矢印ＡＲ１に示す下から上の向き（反時計回り方向）への移動を伴う操作と、第１のセンサ素子群Ｇ２で矢印ＡＲ２に示す下から上の向き（時計回り方向）への移動を伴う操作とが同時に検出され、その操作の結果、センサ素子が２つ接触された場合には、接触されたセンサ素子の数の倍の数、すなわち４つ分操作対象を下から上に移動させる一方、第１のセンサ素子群Ｇ１で矢印ＡＲ１に示す下から上の向き（反時計回り方向）への移動を伴う操作と、第１のセンサ素子群Ｇ２で矢印ＡＲ２に示す下から上の向き（時計回り方向）への移動を伴う操作のうちいずれか一方だけ検出され、その操作の結果、センサ素子が同じく２つ接触された場合には、接触されたセンサ素子の数と同じ数、すなわち２つ分操作対象を下から上に移動させる。
【００５４】
こうすることにより、単位時間当たりのセンサ素子の接触数が同数であるときには、移動を伴う操作が区分けされた複数の領域で同時に検出された場合の方が、複数の領域のうちのいずれか一の領域で検出された場合よりも操作対象領域の項目間の移動速度が早くなる。また、移動を伴う操作が区分けされた複数の領域で同時に検出された場合の方が、複数の領域のうちのいずれか一の領域で検出された場合よりも操作対象領域の項目間の移動速度が早くなるということは、移動を伴う操作が区分けされた複数の領域で同時に検出された場合の方が、複数の領域のうちのいずれか一の領域で検出された場合よりも操作対象領域の項目間の移動量が多くなる、とも観念することもできる。
【００５５】
つまり、ユーザは、状況に応じて操作対象領域の選択候補項目間の移動速度や移動量を操作方法に応じて選択することができ、もって携帯電話端末１００の操作性の幅を広げることができる。
【００５６】
このように、センサ素子を左右対称に第１のセンサ素子群と第２のセンサ素子群という複数の領域に区分けされることにより、左右対称の操作性を提供することができ、利き手によらない操作性を提供することができ、便利である。また、かかる左右対称の構成および操作性を提供しているがため、例えば左手でサブ表示部ＥＬＤの左側に配置された第１のセンサ素子群Ｇ１を、そして右手でサブ表示部ＥＬＤの右側に配置された第２のセンサ素子群Ｇ２を操作することもできる。この場合、操作をする手がサブ表示部ＥＬＤを跨って第１のセンサ素子群または第２のセンサ素子群を操作する構成とはならないため、操作をする手がサブ表示部ＥＬＤにかかって操作しにくくなるといった弊害を抑制することもできる。
【００５７】
また、移動操作の操作方向と、当該方向により連続的に選択される複数の選択肢の表示方向とが一致するため、操作性が向上する。
【００５８】
図１１および図１２は、センサ素子群が、サブ表示部の周囲に沿って上下に並べて配置されているときに、センサ素子上をユーザがなぞった場合のサブ表示部ＥＬＤの応答を説明する図である。図１１（ａ）において矢印ＡＲ１に示す右から左の向き（時計回り方向）にセンサ素子がなぞられたとすると、（ｂ）で示したように各センサ素子のうちセンサ素子Ｒ１、Ｒ２、Ｒ３、Ｒ４がこの順に接触を検知し、この場合、右から左へ、隣接するセンサ素子を３つ遷移する接触のため、（ｃ）のように左方向に項目ＬＳ１から項目ＬＳ４まで操作対象領域が３つ分移動する。
【００５９】
同様に、同図（ａ）において矢印ＡＲ２に示す右から左の向き（反時計回り方向）にセンサ素子がなぞられたとすると、（ｂ）で示したように各センサ素子のうちセンサ素子Ｌ４、Ｌ３、Ｌ２、Ｌ１がこの順に接触を検知し、この場合、矢印ＡＲ１と同じく右から左へ、隣接するセンサ素子を３つ遷移する接触のため、（ｃ）のように左方向に項目ＬＳ１から項目ＬＳ４まで操作対象領域が３つ分移動する。
【００６０】
また、同図（ａ）において、矢印ＡＲ１に示す右から左の向き（時計回り方向）への移動を伴う操作、すなわち、センサ素子Ｒ１、Ｒ２、Ｒ３、Ｒ４の順への接触操作と、矢印ＡＲ２に示す右から左の向き（反時計回り方向）への移動を伴う操作、すなわちセンサ素子Ｌ４、Ｌ３、Ｌ２、Ｌ１の順への接触操作が同時に検出された場合には、制御部１１０は、上述同様に操作対象領域を左方に向かって項目ＬＳ１から項目ＬＳ４まで移動させるが、その操作対象領域の移動速度を、いずれか一方の操作が検出された場合の操作対象領域の移動速度よりも速くなるよう制御する。
【００６１】
例えば、第１のセンサ素子群Ｇ１で矢印ＡＲ１に示す右から左の向き（時計回り方向）への移動を伴う操作と、第１のセンサ素子群Ｇ２で矢印ＡＲ２に示す右から左の向き（反時計回り方向）への移動を伴う操作とが同時に検出され、その操作の結果、センサ素子が２つ接触された場合には、接触されたセンサ素子の数の倍の数、すなわち４つ分操作対象を右から左に移動させる一方、第１のセンサ素子群Ｇ１で矢印ＡＲ１に示す右から左の向き（時計回り方向）への移動を伴う操作と、第１のセンサ素子群Ｇ２で矢印ＡＲ２に示す右から左の向き（反時計回り方向）への移動を伴う操作のうちいずれか一方だけ検出され、その操作の結果、センサ素子が同じく２つ接触された場合には、接触されたセンサ素子の数と同じ数、すなわち２つ分操作対象を右から左に移動させる。
【００６２】
こうすることにより、単位時間当たりのセンサ素子の接触数が同数であるときには、移動を伴う操作が区分けされた複数の領域で同時に検出された場合の方が、複数の領域のうちのいずれか一の領域で検出された場合よりも操作対象領域の項目間の移動速度が早くなる。また、移動を伴う操作が区分けされた複数の領域で同時に検出された場合の方が、複数の領域のうちのいずれか一の領域で検出された場合よりも操作対象領域の項目間の移動速度が早くなるということは、移動を伴う操作が区分けされた複数の領域で同時に検出された場合の方が、複数の領域のうちのいずれか一の領域で検出された場合よりも操作対象領域の項目間の移動量が多くなる、とも観念することもできる。
【００６３】
つまり、ユーザは、状況に応じて操作対象領域の選択候補項目間の移動速度や移動量を操作方法に応じて選択することができ、もって携帯電話端末１００の操作性の幅を広げることができる。
【００６４】
図１２（ａ）において矢印ＡＲ１に示す左から右の向き（反時計回り方向）にセンサ素子がなぞられたとすると、（ｂ）で示したように各センサ素子のうちセンサ素子Ｒ４、Ｒ３、Ｒ２、Ｒ１がこの順に接触を検知し、この場合、左から右へ、隣接するセンサ素子を３つ遷移する接触のため、（ｃ）のように右方向に項目ＬＳ４から項目ＬＳ１まで操作対象領域が３つ分移動する。
【００６５】
同様に、同図（ａ）において矢印ＡＲ２に示す左から右の向き（時計回り方向）にセンサ素子がなぞられたとすると、（ｂ）で示したように各センサ素子のうちセンサ素子Ｌ１、Ｌ２、Ｌ３、Ｌ４がこの順に接触を検知し、この場合、矢印ＡＲ１と同じく左から右へ、隣接するセンサ素子を３つ遷移する接触のため、（ｃ）のように右方向に項目ＬＳ４から項目ＬＳ１まで操作対象領域が３つ分移動する。
【００６６】
また、同図（ａ）において、矢印ＡＲ１に示す左から右の向き（反時計回り方向）への移動を伴う操作、すなわち、センサ素子Ｒ４、Ｒ３、Ｒ２、Ｒ１の順への接触操作と、矢印ＡＲ２に示す左から右の向き（時計回り方向）への移動を伴う操作、すなわちセンサ素子Ｌ１、Ｌ２、Ｌ３、Ｌ４の順への接触操作が同時に検出された場合には、制御部１１０は、上述同様に操作対象領域を右方に向かって項目ＬＳ４から項目ＬＳ１まで移動させるが、その操作対象領域の移動速度を、いずれか一方の操作が検出された場合の操作対象領域の移動速度よりも速くなるよう制御する。
【００６７】
例えば、第１のセンサ素子群Ｇ１で矢印ＡＲ１に示す左から右の向き（反時計回り方向）への移動を伴う操作と、第１のセンサ素子群Ｇ２で矢印ＡＲ２に示す左から右の向き（時計回り方向）への移動を伴う操作とが同時に検出され、その操作の結果、センサ素子が２つ接触された場合には、接触されたセンサ素子の数の倍の数、すなわち４つ分操作対象を左から右に移動させる一方、第１のセンサ素子群Ｇ１で矢印ＡＲ１に示す左から右の向き（時計回り方向）への移動を伴う操作と、第１のセンサ素子群Ｇ２で矢印ＡＲ２に示す左から右の向き（時計回り方向）への移動を伴う操作のうちいずれか一方だけ検出され、その操作の結果、センサ素子が同じく２つ接触された場合には、接触されたセンサ素子の数と同じ数、すなわち２つ分操作対象を左から右に移動させる。
【００６８】
こうすることにより、単位時間当たりのセンサ素子の接触数が同数であるときには、移動を伴う操作が区分けされた複数の領域で同時に検出された場合の方が、複数の領域のうちのいずれか一の領域で検出された場合よりも操作対象領域の項目間の移動速度が早くなる。また、移動を伴う操作が区分けされた複数の領域で同時に検出された場合の方が、複数の領域のうちのいずれか一の領域で検出された場合よりも操作対象領域の項目間の移動速度が早くなるということは、移動を伴う操作が区分けされた複数の領域で同時に検出された場合の方が、複数の領域のうちのいずれか一の領域で検出された場合よりも操作対象領域の項目間の移動量が多くなる、とも観念することもできる。
【００６９】
つまり、ユーザは、状況に応じて操作対象領域の選択候補項目間の移動速度や移動量を操作方法に応じて選択することができ、もって携帯電話端末１００の操作性の幅を広げることができる。
【００７０】
なお、本実施例においては、所定の方向の移動操作は、時計回り方向または反時計回り方向のいずれかの方向の移動操作のことをさしており、移動操作の方向の同一性は、かかる２方向同士の同一性を判断する構成となっていたが、本発明においては、これに限られない。つまり、移動操作の方向は、時計回り方向または反時計回り方向のような円運動方向に限らず、直線運動方向であってもよい。その場合の方向の同一性は、直線運動方向の同一性で判断する。
【００７１】
例えば、上述したように、棒状に配置されるセンサ素子群を複数の領域に区分けして配置した場合、一の領域に対する一方向への移動操作に係る選択動作制御と、他の領域に対する一方向への移動操作に係る選択動作制御と、を異ならせると共に、他の領域に対する多方向への移動操作に係る選択動作制御と、他の領域に対する他方向への移動操作に係る選択動作制御と、を異ならせる構成としても良い。ここで、一方向と他方向との関係は、互いにベクトル成分が逆である関係と同義であるとする。
【００７２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。例えば、実施例では、円環状に設けたセンサ素子レイアウトで説明したが、棒状やコ字状に配置されるセンサ素子群を複数の領域に区分けして配置させてもよい。また、実施例では、センサ素子が、２つのセンサ素子群に分けて構成されている場合について説明してあるが、センサ素子が、３つ以上のセンサ素子群に分けて構成されている場合についても本発明を適用することが可能である。
【００７３】
また、本実施例における携帯電子機器は、区分けされた複数の領域で同一方向に係る移動を伴う操作が同時に検出された場合には、複数の選択候補項目のうち予め定められた特定の選択候補項目を選択し、当該複数の領域のいずれか一の領域のみで同一方向に係る移動を伴う操作が検出された場合には、上述した実施例同様に、複数のセンサ素子への接触の数や変化に基づき、移動を伴う操作を検出し、当該移動を伴う操作に応じて複数の選択候補項目を順次選択することにより、前者の場合と後者の場合とで選択動作制御に差を持たせてもよい。この場合、特に、当該特定の選択候補項目が、複数の選択候補項目のうちの冒頭の選択候補項目（本実施例における項目ＬＳ１）又は末尾の選択候補項目（本実施例における項目ＬＳ４）であれば、操作者は、複数の選択候補項目の中から冒頭および末尾の項目をスムーズに選択することができ、操作性の幅がより広がる。なお、予め定められた特定の選択候補項目は、冒頭および末尾の項目のみならず、選択頻度の高い選択候補項目であってもよい。
【００７４】
また、本実施例における携帯電子機器は、さらに、区分けされた複数の領域で同時に同一方向に係る移動を伴う操作が検出された場合には、それ以降、移動を伴う操作をせずとも複数の選択候補項目から一の選択候補項目が所定の周期で順次自動的に選択される一方で、操作検出部により所定の方向と同一の方向に係る移動を伴う操作が複数の領域のうちのいずれか一の領域で検出された場合には、上述した実施例同様に、それ以降、移動を伴う操作が検出されなかった場合には選択候補項目の選択はされず、それ以降移動を伴う操作が検出された場合に、その操作に応じて複数の選択候補項目が順次選択されるようにすることにより、選択動作制御に差を持たせてもよい。
【００７５】
図９を例にして説明すると、例えば、同図（ａ）において、第１のセンサ素子群Ｇ１で矢印ＡＲ１に示す上から下の向き（時計回り方向）への移動を伴う操作、すなわち、センサ素子Ｒ１、Ｒ２、Ｒ３、Ｒ４の順への接触操作と、第１のセンサ素子群Ｇ２で矢印ＡＲ２に示す上から下の向き（反時計回り方向）への移動を伴う操作、すなわちセンサ素子Ｌ４、Ｌ３、Ｌ２、Ｌ１の順への接触操作が同時に検出された場合には、それ以降さらなる移動を伴う操作が検出されなくとも、制御部１１０は、操作対象領域を下方に向かって項目ＬＳ１から項目ＬＳ４まで所定の周期（例えば１秒周期）で移動させる。しかし、第１のセンサ素子群Ｇ１で矢印ＡＲ１に示す上から下の向き（時計回り方向）への移動を伴う操と第１のセンサ素子群Ｇ２で矢印ＡＲ２に示す上から下の向き（反時計回り方向）への移動を伴う操作のうちのいずれか一方の操作のみが検出された場合には、それ以降さらなる移動を伴う操作が検出されなかった場合には、制御部１１０は、操作対象領域の移動を停止し、それ以降さらなる移動を伴う操作が検出された場合に、当該移動を伴う操作に応じて操作対象領域を下方に向かって項目ＬＳ１から項目ＬＳ４まで移動させる。
【００７６】
これにより、ユーザは、操作対象領域の選択方法を操作の方法に応じて選択することができるとともに、第１のセンサ素子群Ｇ１で矢印ＡＲ１に示す上から下の向き（時計回り方向）への移動を伴う操作と、第１のセンサ素子群Ｇ２で矢印ＡＲ２に示す上から下の向き（反時計回り方向）への移動を伴う操作とを同時にすれば、操作対象領域を所定の周期（例えば１秒周期）で自動的に移動させることができ、操作対象項目の選択を好適に行うことができる。
【００７７】
なお、実施例では、携帯電話端末を挙げて説明してあるが、電話以外の携帯無線端末、ＰＤＡ（パーソナルデジタルアシスタンス）、携帯ゲーム機、携帯オーディオプレイヤー、携帯ビデオプレイヤー、携帯電子辞書、携帯電子書籍ビューワーなどの携帯電子機器に幅広く本発明を適用することが可能である。
【図面の簡単な説明】
【００７８】
【図１】本発明を適用した携帯電話端末の基本的な構成を示すブロック図である。
【図２】センサ素子を筐体に実装した携帯電話端末の斜視図である。
【図３】本発明を適用した携帯電話端末の詳細な機能ブロック図である。
【図４】本発明による携帯電話端末のタッチセンサ機能のより詳細な構成を示すブロック図である。
【図５】本発明による携帯電話端末の構成要素の配置を示す平面図である。
【図６】本発明による携帯電話端末の構成要素の配置を示す平面図である。
【図７】図５および図６に示した携帯電話端末の構成要素の分解斜視図である。
【図８】本発明による携帯電話端末における各センサ素子からの接触検知データの処理を説明する概略ブロック図である。
【図９】センサ素子群が左右に並べて配置されているときに、センサ素子上をユーザがなぞった場合のサブ表示部の応答を説明する図である。
【図１０】センサ素子群が左右に並べて配置されているときに、センサ素子上をユーザがなぞった場合のサブ表示部の応答を説明する図である。
【図１１】センサ素子群が上下に並べて配置されているときに、センサ素子上をユーザがなぞった場合のサブ表示部の応答を説明する図である。
【図１２】センサ素子群が上下に並べて配置されているときに、センサ素子上をユーザがなぞった場合のサブ表示部の応答を説明する図である。
【符号の説明】
【００７９】
１００  携帯電話端末
１１０  制御部
１２０  センサ部
１３０  表示部
１４０  記憶部
１４２  保存領域
１４４  外部データ保存領域
１５０  情報処理機能部
１６０  電話機能部
２１０  タッチセンサ部
２２０  カメラ
２３０  ライト
３００  前処理部
３１０  Ａ／Ｄ変換器
３２０  制御部
３３０  記憶部
ＡＰ１  サブ表示部表示アプリ
ＡＰ２  ロックセキュリティアプリ
ＡＰ３  アプリケーション
ＡＰ３  その他アプリ
ＡＰ４  ラジオアプリ
ＡＰＩ  アプリケーションプログラムインターフェース
ＡＰＩＲ  赤外線通信アプリ
ＡＰＲＦ  ＲＦＩＤアプリアプリ
ＡＵＤ  オーディオドライバ
ＢＡ  ベースアプリ
ＣＬＫ  ＯＳタイマー
ＣＮＦ  確認部
ＣＯＭ  通信部
ＤＬ  デバイス層
ＥＡＰ  イヤホン
ＦＬＧ  フラグ記憶部
ＩＨ  割込ハンドラ
ＩＲ  赤外線通信部
ＩＲＤ  赤外線通信ドライバ
ＫＥＹ  キー操作部
ＫＳＰ  キースキャンポートドライバ
ＭＩＣ  マイク
ＮＴＦ  結果通知部
ＯＣＤ  開閉検出デバイス
ＰＲ  プロトコル
ＰＳ  電源
ＰＳＣＯＮ  電源コントローラ
ＱＵＥ  キュー
ＲＤ  ラジオドライバ
ＲＦＤ  ＲＦＩＤドライバ
ＲＦＩＤ  ＲＦＩＤモジュール
ＲＭ  ラジオモジュール
ＳＩ  シリアルインターフェース部
ＳＩＭＯＮ  監視部
ＳＰ  スピーカ
ＳＷ  切替部
ＳＷＣＯＮ  切替制御部
ＴＳＢＡ  タッチセンサベースアプリブロック
ＴＳＤ  タッチセンサドライバ
ＴＤＢ  タッチセンサドライバブロック
ＴＳＭ  タッチセンサモジュール
Ｌ１〜Ｌ４  センサ素子
Ｒ１〜Ｒ４  センサ素子
ＥＬＤ  サブ表示部
ＰＮＬ  パネル
ＳＰ１、ＳＰ２  離間部
ＳＷ１、ＳＷ２  タクトスイッチ
Ｇ１  第１のセンサ素子群
Ｇ２  第２のセンサ素子群
Ｇ３  第ｎのセンサ素子群
ＡＲ、ＡＲ１、ＡＲ２  矢印
ＬＳ１〜ＬＳ８  項目
ＴＩ  タイトル
【図１】
0005046802.tif 000002
【図２】
0005046802.tif 000003
【図３】
0005046802.tif 000004
【図４】
0005046802.tif 000005
【図５】
0005046802.tif 000006
【図６】
0005046802.tif 000007
【図７】
0005046802.tif 000008
【図８】
0005046802.tif 000009
【図９】
0005046802.tif 000010
【図１０】
0005046802.tif 000011
【図１１】
0005046802.tif 000012
【図１２】
0005046802.tif 000013